(57)【要約】【課題】電源コード及びプラグを保護する手段を備えた可搬式エアコンプレッサを提供する。【解決手段】可搬式のエアコンプレッサ１は、圧縮エアを生成する圧縮装置３と、圧縮エアを貯留するエアタンク５と、移動補助用のキャスター６及びハンドル７を有している。ハンドル７には、電源コード３１のプラグ３２を保持するための差込孔７５が穿孔されている。エアコンプレッサを引きずって移動する際には、ハンドル７に電源コード３１を巻き付け、先端のプラグ３２を差込孔７５に差し込む。これにより、プラグが差込孔によって保持されるとともに、抜止め部材７８によってプラグの脱落が防止される。このような特徴によれば、ハンドルに電源コードを巻き付けてコンプレッサを移動する際に、プラグが地面に接触することがなく、また、電源コードがハンドルから解けることがない。したがって、移動時に電源コードが破断したりプラグが変形する事態を防止できる。【選択図】図１
2010133285.tif 000002
【特許請求の範囲】
【請求項１】
先端にプラグを備えた電源コードと、
前記電源コードのプラグを保持するための差込孔と、
を有することを特徴とするエアコンプレッサ。
【発明の詳細な説明】
【技術分野】
【０００１】
本発明は、住宅建築工事等の現場で用いられる可搬式のエアコンプレッサの技術分野に属する。
【背景技術】
【０００２】
従来の可搬式のエアコンプレッサを図４に示す。
従来より一般的に用いられているエアコンプレッサ２は、図４（Ａ）に示すように、圧縮エアを生成する圧縮装置３と、その圧縮エアを貯留するエアタンク５とから構成されている。圧縮装置３は、図４に示すように、カバーに覆われた状態でエアタンク５の上に載置固定されている。圧縮装置３を支えるエアタンク５は、一般的に２本のボンベからなり、並列配置されている。
【０００３】
エアコンプレッサの圧縮装置３は、そのカバーの内側に、回転軸を駆動するモータと、回転軸の偏心位置に装着されたクランクピンと、該クランクピンの旋回運動に伴って往復運動するピストンと、該ピストンを収納するためのシリンダとを有している。旋回運動するクランクピンと往復運動するピストンとは、コネクティングロッドを介して連結されている。モータが駆動して回転軸が回転するとクランクピンが旋回運動し、その動力がコネクティングロッドを介してピストンへ伝達され、その結果、ピストンがシリンダ内で往復運動できるようになっている。
【特許文献１】特開２００１−００３８６９号公報
【０００４】
また、エアコンプレッサ２は、外部電源から圧縮装置３のモータへ電力を供給するための電源コード３１を具備している。電源コード３１の一端は圧縮装置３のカバー内でモータに接続され、他端にはコンセントに差し込まれる電源プラグ３２を有している。エアコンプレッサ２を使用する際には、電源コード３１のプラグ３２をコンセントに差し込んで、圧縮装置３のモータを駆動させる。
【０００５】
このようなエアコンプレッサは、多数の金属製部品等から構成されるため重量があり、一般的なものでも１６kg〜２０kg程度の重量がある。そのため、可搬式のエアコンプレッサの中には、持ち運び易さなどを考慮して、図４（Ａ）に示すようなキャスター６やハンドル７，７を備えたタイプのものがある。このようなタイプのエアコンプレッサを現場で使用する際には、通常、車両に載せて現場近くまで移動し、作業者が車両から降ろし、さらに作業位置まで引きずって移動している。引きずって移動する際には、通常、図４（Ｂ）に示すように一方のハンドル７を掴んでエアコンプレッサを斜めに持ち上げ、キャスター６を接地させ、この状態で牽引して移動している。また、引きずることができないような現場では、作業者がハンドル７，７を掴み持ち上げて移動している。
【発明の開示】
【発明が解決しようとする課題】
【０００６】
前述したとおり、エアコンプレッサは、圧縮装置に電力を供給するための電源コード３１を具備している。このような電源コードは数メートルあるため、該電源コードを地面に引きずって移動すると、プラグ３２を踏み付けたり障害物に引っ掛けたりしてのプラグの差込金具が変形する虞があり、また、作業者がコードを踏み付けて転倒する危険性もある。また、電源コード３１が障害物に引っ掛かったことに気付かずに移動し続けると、電源コードが破断する虞もある。そこで、エアコンプレッサを移動させる際には、電源コードを保護し作業者の安全を確保する観点から、図５に示すように電源コード３１をハンドル７に巻き付けて、プラグ３２のある先端側をハンドル７の枠内に通すようにしている。
【０００７】
しかしながら、ハンドル７に電源コード３１を巻き付けても、図４（Ｂ）に示すようにエアコンプレッサを斜めに起こし引きずって移動する場合には、ハンドルから垂れ下がった電源コードを地面に引きずって移動することになる。そのため、移動の過程で、前述したようにプラグが変形したり、電源コードを障害物に引っ掛ける虞がある。
【０００８】
また、電源コード３１をハンドル７に巻き付け、ハンドルの枠内に通しただけでは、移動の過程で巻き付け状態が緩み、徐々に電源コード３１がハンドル７から解かれる場合もある。このような場合、移動の過程で電源コードを地面に引きずるような状態に至るので、作業者が移動時にコードを踏み付けたり、プラグを障害物に引っ掛ける虞がある。
【０００９】
このような問題を解決するべく、図６に示すように、弾性材料からなるピンセット状の留め具３４をハンドル７に固設し、ハンドル７に巻きつけた状態の電源コード３１を挟持させることが提案されている。しかしながらこのような留め具は、使用を重ねるうちに徐々に塑性変形して挟持力が弱まり、やがて留め具として機能しなくなるといった問題がある。
【００１０】
また、市販の電気掃除機などに見られるように、電源コードをエアコンプレッサの内部に収容できるようにコードリールなどを備えることも検討されたが、小型化・軽量化・低コスト化が強く望まれている可搬式のエアコンプレッサにおいては採用し得るものではない。
【００１１】
そこで、上述した従来技術の問題点に鑑み、本発明の目的は、エアコンプレッサの移動時において、その電源コード及びプラグを確実に保護できる手段を備えた可搬式のエアコンプレッサを提供することにある。
【課題を解決するための手段】
【００１２】
このような目的は、先端にプラグを備えた電源コードと、前記電源コードのプラグを保持するための差込孔と、を有するエアコンプレッサによって達成される。
また、かかる目的は、エアコンプレッサに装着されるソケットであって、該エアコンプレッサの電源プラグを保持するための差込孔を有するソケットによっても達成される。
【発明の効果】
【００１３】
本発明によれば、電源コードのプラグを差し込むことが可能であって、差し込んだ状態でプラグを保持できる差込孔を備えている。これにより、従来では垂れ下がった電源コードが障害物に引っ掛かったり、作業者が踏み付けたりして、プラグの差込金具が変形する虞があったが、このような事態を防止することができる。また、電源コードのハンドルへの巻き付け状態を確実に維持できるので、エアコンプレッサの移動時において電源コードを踏み付けることがなく、また、作業者が転倒したり電源コードが破断するといった事態を防止できる。
【発明を実施するための最良の形態】
【００１４】
以下、図１乃至図３に基づいて本発明の実施形態を説明する。
図１は、本発明に係るエアコンプレッサ１の要部を示す斜視図であり、電源コード３１をハンドル７に巻き付けた状態を示している。
図２は、本発明に係るエアコンプレッサ１の要部を示す斜視図であり、ハンドル７に巻き付けた電源コード３１のプラグ３２を差込孔７５に差し込んだ状態を示している。
図３（Ａ）は、図１及び図２のエアコンプレッサ１が備えるハンドル７の正面図（差込孔７５が形成された側を示す図）である。
図３（Ｂ）は、図３（Ａ）のハンドル７の差込孔７５に、電源コード３１のプラグ３２を差し込んだ状態を示している。
【００１５】
（エアコンプレッサの構成）
図１及び図２に示す可搬式エアコンプレッサ１は、図４に示す従来のものと同様に、圧縮エアを生成する圧縮装置３と、その圧縮エアを貯留するエアタンク５とを有している。エアタンク５は、並列配置の２本のボンベを含んで構成され、エアコンプレッサの下部側に配置されている。エアタンク５の上部には、従来と同様に圧縮装置３が載置され該エアタンクに固定されている。
また、エアコンプレッサ１には、圧縮装置３のモータに電力を供給するための電源コード３１が設けられている。電源コード３１の一端は、エアコンプレッサの内部でモータに接続され、他端側には電源プラグ（差込プラグ）３２が設けられている。
さらに、本発明のエアコンプレッサ１は、従来と同様に、移動補助用のキャスター６とハンドル７を備えている。
【００１６】
キャスター６は、エアタンク３の軸方向に張り出した状態で、該エアタンクの一端側に固定されている。エアコンプレッサの使用時（駆動時）には、防振ゴム５１が四隅で接地しており、キャスター６は接地していない。エアコンプレッサ１を斜めに起こすと、四隅の防振ゴム５１がすべて地面から離れ、キャスター６だけが接地するようになっている。
【００１７】
ハンドル７は、図４に示す従来のものと同様に、エアタンク３の両側に固設されている。コンプレッサ本体（エアタンクと圧縮装置）を挟んで対向するハンドルは、エアコンプレッサ１を持ち上げて運ぶ時などに利用し、また、エアコンプレッサ１を押したり引きずったりして移動するときに利用する。
【００１８】
ハンドル７は、図３（Ａ）に示すようにフレーム状に構成され、コンプレッサ本体に対して立設状態で固設されている。各ハンドル７は、平行に設けられた縦材７１，７１と、その間に横向きに固設されたグリップ用の横材７３とを有している。一方のハンドル（電源コード３１が設けられた側のハンドル）には、電源コード３１のプラグ３２を保持するための差込孔７５が穿孔されている。この差込孔７５には、プラグ３２から突き出た通電用の差込金具が差し込まれ、該プラグを保持するようになっている。
【００１９】
差込孔７５は、一般的なコンセントのように通電機能を有するものではないが、コンセントの差込口と同様の形状・寸法を有する。したがって、プラグ３２の差込金具を差込孔に抜き差しする際には、ある程度の抵抗を生ずる。またプラグ３２を差込孔７５に差し込んだ状態では、多少の外力を受けても抜け落ちないように、プラグの差込金具が差込孔の周囲により保持される。
【００２０】
またハンドル７には、差込孔７５を介して向かい合う抜止め部材７８，７８が設けられている。各抜止め部材７８は弾性体からなり、ハンドル７に対し立設されている。また各抜止め部材７８の先端側には、図３（Ｂ）に示すように爪（ラッチ爪）が形成されており、この爪がプラグ３２に形成された段部３３と係合するようになっている。
【００２１】
（差込孔及び抜止め部材の使用例）
本発明に係るエアコンプレッサが備える差込孔７５及び抜止め部材７８は、エアコンプレッサを移動する際に使用できる。具体的には、図１に示すように、移動する前に電源コード３１をある程度ハンドル７に巻き付け、次いで、図２に示すように、電源コードの先端にあるプラグ３２を差込孔７５に差し込む。
【００２２】
なお、図示する実施形態では、ハンドル７の両側に（すなわち縦材７１，７１のそれぞれに）差込孔７５及び抜止め部材７８が１セットずつ設けられている。したがって、電気コード３１の巻き方向や巻き具合などに応じて、より適切な側の差込孔７５にプラグ３２を差し込むことができる。
【００２３】
プラグ３２の差込金具を差込孔７５に差し込む際には、抜止め部材７８の先端にある爪がプラグ３２の段部３３に当たるが、プラグを強引に差し込むと、向かい合う抜止め部材７８，７８が弾性変形して押し広げられる。このままプラグ３２を奥まで差し込むと、抜止め部材７８の爪がプラグ３２の段部３３を超えて原形に復帰する。その結果、図３（Ｂ）に示す状態に至り、プラグ３２の差込金具が差込孔７５に保持されるとともに、抜止め部材７８の爪によってプラグ３２の抜け止めがなされる。
【００２４】
この状態で所定の場所までエアコンプレッサを移動し、その場で使用する場合には、プラグ３２を差込孔７５から引き抜いて、ハンドル７から電源コード３１を解くようにする。なお、差込状態においてプラグ３２は抜止め部材７８によって抜止めされているが、該プラグを強引に引っ張ると、抜止め部材７８，７８が弾性変形して拡開するので、差込孔７５からプラグ３２を引き抜くことができる。
【００２５】
（差込孔及び抜止め部材の効果）
上述した本発明のエアコンプレッサによれば、電源コードのプラグを差し込むことが可能であって、差し込んだ状態でプラグを保持できる差込孔を備えている。これにより、従来では垂れ下がった電源コードが障害物に引っ掛かったり、作業者が踏み付けたりして、プラグの差込金具が変形する虞があったが、このような事態を防止することができる。また、電源コードのハンドルへの巻き付け状態を確実に維持できるので、エアコンプレッサの移動時において電源コードを踏み付けることがなく、作業者が転倒したり電源コードが破断するといった事態を防止できる。
【００２６】
また、図６に示すような留め具３４の場合には、経時的に電気コードの挟持力が弱まるといった問題があるが、本発明ではプラグの保持手段を差込孔で構成しているので、保持力が経時的に弱まることはない。
【００２７】
また、本発明によれば、差込孔とともに抜け止め部材を設けているので、差込状態のプラグが多少の外力を受けても、プラグが抜け落ちることがない。
【００２８】
また上述した実施形態では、好ましい態様の一例として、図１及び図２に示すような位置に、差込孔７５及び抜止め部材７８を設けている。
このような位置に差込孔及び抜止め部材を設けることにより、エアコンプレッサの移動性を阻害することがない（これに対し、グリップ用の横材７３に設けると、持ち運び易さを阻害するので作業性の点で問題がある）。
また、エアコンプレッサ本体との対向面において、縦材７１に差込孔及び抜止め部材を設けることにより、プラグが抜け落ちるのを防止できる（これに対し、図示する態様とは反対側の面や側面に設けると、作業者や障害物に当たりやすく、プラグが抜け落ちたり変形する虞がある）。
【００２９】
（本発明の変形例）
上述した実施形態では、差込孔及び抜止め部材をハンドルに設けているが、差込孔や抜止め部材の形成位置は特に限定されるものではなく、圧縮装置のカバーの任意の位置やハンドルの付け根部分など、あらゆる位置に複数設けることが可能である。
【００３０】
また、上述した実施形態では、差込孔及び抜止め部材をハンドルに一体的に設けているが、本発明の実施態様はこれに限定されない。例えば、ハンドルとは別体のソケットに差込孔と抜止め部材を形成し、このソケットをハンドルに固設するようにしてもよい。
【００３１】
また、差込孔及び抜止め部材を有するソケットを、エアコンプレッサに対し、接着剤や両面テープ等で後付けするような態様も採用可能である。これにより、従来より市販されているエアコンプレッサに対して、電源コードのプラグ保持機能を付与することができる。また、後付け可能なソケットであることにより、個々の作業者の好みに合った位置にプラグ保持機能を付与することが可能になる。
【図面の簡単な説明】
【００３２】
【図１】本発明に係るエアコンプレッサの要部を示す斜視図であり、電源コードをハンドルに巻き付けた状態を示している。
【図２】本発明に係るエアコンプレッサの要部を示す斜視図であり、ハンドルに巻き付けた電源コードのプラグを差込孔に差し込んだ状態を示している。
【図３】（Ａ）は、図１及び図２のエアコンプレッサが備えるハンドルの正面図（差込孔が形成された側を示す図）であり、（Ｂ）は、（Ａ）のハンドルの差込孔に、電源コードのプラグを差し込んだ状態を示している。
【図４】（Ａ）は、従来のエアコンプレッサを示す図であり、（Ｂ）は、（Ａ）のエアコンプレッサを引きずって移動している様子を示す図である。
【図５】従来のエアコンプレッサの要部を示す斜視図であり、電源コードをハンドルに巻き付けた状態を示している。
【図６】従来のエアコンプレッサの要部を示す斜視図であり、ハンドルに巻き付けた電源コードを留め具で挟持させた状態を示している。
【符号の説明】
【００３３】
１      エアコンプレッサ（本発明）
２      エアコンプレッサ（従来技術）
３      圧縮装置
５      エアタンク
６      キャスター
７      ハンドル
３１    電源コード
３２    電源プラグ（差込プラグ）
３３    段部
３４    留め具
５１    防振ゴム
７１    縦材
７３    横材
７５    差込孔
７８    抜止め部材
【図１】
2010133285.tif 000003
【図２】
2010133285.tif 000004
【図３】
2010133285.tif 000005
【図４】
2010133285.tif 000006
【図５】
2010133285.tif 000007
【図６】
2010133285.tif 000008